(57)【要約】【課題】RAID構造の提供。【解決手段】ケース、連接台、少なくとも２個のディスクを含む。該ケース内に少なくとも２個の横に排列する設置空間を形成し、該連接台は該ケースと相互に結合する。該連接台は回路板、少なくとも２個の連接器、後カバーを設置し、該各連接器は該回路板の内側に電気的に連接し、該後カバーは該回路板の外側に結合する。しかも該後カバー上には複数個の連接挿入孔及び切換えスイッチを設置し、該複数個の連接挿入孔と該切換えスイッチは該回路板と電気的に連接する。該各ディスクは該ケースの該各設置空間内に対応し可動設置し、該各ディスクの一端は該連接台の該各連接器と対応し電気的に連接し、該各ディスクの反対端にはハンドルを設置する。これにより携帯とディスクの抜き取りに便利で、散熱と製造が快速で、コストを引き下げることができ、マウスパッドとして使用でき、及び切換え使用が便利などの効果を備える。【選択図】図２
0003139123.tif 000002
【実用新案登録請求の範囲】
【請求項１】
ケース、連接台、少なくとも２個のディスクを含み、
該ケース内に少なくとも２個の横に排列する設置空間を形成し、
該連接台は該ケースと相互に結合し、該連接台は回路板、少なくとも２個の連接器、後カバーを設置し、該各連接器は該回路板の内側に電気的に連接し、該後カバーは該回路板の外側に結合し、しかも該後カバー上には複数個の連接挿入孔及び切換えスイッチを設置し、該複数個の連接挿入孔と該切換えスイッチは該回路板と電気的に連接し、
該各ディスクは該ケースの該各設置空間内に対応し可動設置し、該各ディスクの一端は該連接台の該各連接器と対応し電気的に連接し、該各ディスクの反対端にはハンドルを設置し、抜き取りにおける利便性を提供することを特徴とするRAID構造。
【請求項２】
請求項１記載のRAID構造において、前記連接台の後カバー両側にはネジ孔を設置し、二個のネジにより該連接台の後カバーと該ケースを螺合、固定することを特徴とするRAID構造。
【請求項３】
請求項１記載のRAID構造において、前記ケースはアルミ材料であるため散熱に有利であることを特徴とするRAID構造。
【請求項４】
請求項１記載のRAID構造において、前記ケース前端にはさらに前カバーを結合し、該各ディスクを該ケース内に設置し封鎖することを特徴とするRAID構造。
【請求項５】
請求項４記載のRAID構造において、前記前カバー両側にはネジ孔を設置し、二個のネジにより該前カバーと該ケースを螺合、固定することを特徴とするRAID構造。
【請求項６】
請求項１或いは請求項２或いは請求項３或いは請求項４或いは請求項５記載のRAID構造において、前記ケースはアルミプレスにより製造することを特徴とするRAID構造。
【考案の詳細な説明】
【技術分野】
【０００１】
本考案は一種のRAID構造に関する。特に一種のケース、連接台、及び少なくとも２枚のディスクによる組合せ設計で、携帯とディスクの抜き取りに便利で、散熱と製造が快速で、コストを引き下げることができ、マウスパッドとして使用でき、及び切換え使用が便利などの効果を備え、各式RAID或いは類似の構造に適用することができる。
【背景技術】
【０００２】
PCが世に出て以来、ハードディスクは最もよく使用される保存装置である。しかし、コンピュータシステム構造全体において、CPUとRAMを比較すると、ハードディスクの速度はPC中で最も弱い設備のひとつである。コンピュータ全体のデータ処理量を強化するために、保存容量を拡大し、ハードディスクデータの安全を改善するが、RAIDの設計はこうして誕生した。
RAID(Redundant Arrays of Inexpensive Disks)の原理はアレー方式を利用しディスクセットとし、データ分散排列の設計を対応させ、データの安全性を向上させるものである。RAIDは主に、容量と速度においてCPUとメモリの発展にディスクが追い付いていけない点に対して改善の方法を提出する。
RAIDは非常に安価で、容量が比較的小さく、安定性が比較的高く、速度が比較的遅いディスクを、非常にたくさん組合せ１個の大型のディスクセットとしたもので、個別のディスクを利用しデータが生じるマークアップ効果を提供し、ディスクシステム全体の性能を向上させる。同時に、データを保存する時には、この技術を利用し、データを多くのセグメントに分割し、それぞれ各ハードディスク上に保存する。しかもRAIDは、パリティチェック(Parity Check)の概念を利用することもできるため、アレー中の任意のハードディスクに故障が発生した時にも、データを読み出すことができ、データの再建時には、故障したハードディスク内のデータを計算後に改めて新ディスク中に保存することができる。
【０００３】
RAIDは２個以上のハードディスクを１個のロジックハードディスクをシュミレートしシステム中に出現させる。RAIDコントローラーを使用しその存在を達成し、異なるアレー形式を利用し、各種レベルをシュミレートする。
RAIDにおいて最もよく使用され及び応用されるレベルは０、１、０＋１、３、５で、別にほとんど使われないRAID４とRAID６がある。
RAID０はRAID平行保存データの概念を提出し、それは数個のハードディスクを使用し、１個のデータの異なる部分を平行保存する。一般的な方法としては、保存を待つデータを特定の長さのセグメントを単位とし分割し、第一ブロックをアレーの第一ディスクドライブに保存し、第二ブロックをアレーの第二ディスクドライブに保存し、残りもこれに準じる。セグメントの長さの単位は１個のセクター、クラスター(cluster)、トラック、さらにはシリンダー(cylinder)全体とすることができる。
RAID１が提出するディスクミラー(disk mirror)概念はデータを保障し、オリジナルの提案は２個の容量が相同のディスクドライブを採用し同一のデータを保存するものである。こうして別のハードディスクが相同のデータを保存することで、その内の１個のハードディスクが故障しデータが失われるリスクを回避することができる。
Windows（登録商標） NTではユーザーは相同容量のハードディスクを分割しディスクミラーを確立することができ、ハードディスク全体の容量サイズの制限を受けることはない。このように異なる容量のハードディスクの使用上のフレキシビリティを向上させることができる。
例えば、ユーザーは比較的大きな容量のハードディスクを購入し、その内のあるものを分割しあるハードディスクのミラーとし、別の分割部分を他に使用することができる。
【０００４】
RAID０と類似し、RAID２もRAIDによりデータを平行保存するが、前者とは異なり、RAID２は各ディスクドライブのデータ単位をビットに分散し、RAID０の大ブロック方式ではない。つまり、RAID２はデータの第一ユニットをアレーの第一ディスクドライブに保存し、第二ユニットをアレーの第二ディスクドライブに保存し、残りもこれに準じる。こうして同様にデータのアクセス効率を向上させることができる。RAID０との比較では、RAID２はビットを分散単位とするため、読み出し/書き込み動作の度にアレー内のすべてのディスクドライブを牽引し同時に読み出し/書き込みを行う。RAID２も数台の別のディスクドライブを使用し、エラー修正コード(ECC)或いはパリティ(parity)検査コードを保存する。こうして、データのエラー容認度を高め、このようなディスクドライブを１台追加することは、該RAIDが容認可能なディスクドライブ故障の台数が１台増えることを意味する。
エラー修正コードの目的は、あるデータのディスクドライブに故障が発生した時にも、計算を通して、他の故障していないディスクドライブデータ中から正確なデータ内容を呼び戻すことである。呼び戻しの程度はエラー修正ディスクドライブの個数が全部のディスクドライブ個数に占める割合に応じて決まる。
【０００５】
公知のRAID構造は主にケース、回路制御板、複数のディスクを含む。該ケース内には複数の縦に積み重ね排列するディスクを設置し、各ディスクは回路制御板上の連接器に連接し、こうしてRAIDを形成する。
しかし、該RAID構造はケース内に設置する複数の縦に積み重ね排列するディスクを採用するため、全体の体積が比較的大きく、携帯に不便である。また各ディスクを交換しようとする時には、関連するハンドルなどが未設置であるため、抜き取りに不便である。すなわち、実際の使用において、使用者のニーズに合致していない。
【考案の開示】
【考案が解決しようとする課題】
【０００６】
本考案の主要な目のは、RAID構造を提供し、それはケース、連接台、少なくとも２個のディスクの組合せ設計で、該ケース内に少なくとも２個の横に排列する設置空間を形成し、これにより該少なくとも２個のディスクは該ケース内の少なくとも２個の横に排列する設置空間により、該ケースの反対端が結合する連接台前端の各連接器と相互に挿入接続し、しかも各ディスクの反対端にはハンドルを設置し、こうしてディスクの抜き取りの便を提供し、これにより携帯と抜き取りに便利な性能を備え、全体的な実用性と利便性を大幅に向上させる。
本考案の次の目的は、RAID構造を提供し、該ケースはアルミ材質であるため、散熱が迅速で、全体の実用性を向上させることができる。
本考案のもう一つの目的は、RAID構造を提供し、該ケースはアルミプレスにより製造するため、迅速、便利に製造することができ、ひいてはコストを低下させることに繋がり、全体の実用性と利便性を向上させることができる。
本考案のもう一つの目的は、RAID構造を提供し、該ケースは薄型平面設計を採用し、ケース表面はマウスパッドとしても使用可能であるため、全体の実用性を向上させることができる。
本考案のもう一つの目的は、RAID構造を提供し、後カバー上に設置する切換えスイッチにより、RAIDとしての使用或いは２個のディスクとしての使用に切換えることができ、後カバー上に設置する複数個の連接挿入孔にはUSBプラグ、電源プラグなどを挿入することができ、便利に使用可能で、全体的な実用性を向上させることができる。
【０００７】
上述の目的を達成するため、本考案はRAID構造を提供する。
それは主にケース、連接台、少なくとも２個のディスクを含み、
該ケース内に少なくとも２個の横に排列する設置空間を形成し、
該連接台は該ケースと相互に結合し、該連接台は回路板、少なくとも２個の連接器、後カバーを設置し、該各連接器は該回路板の内側に電気的に連接し、該後カバーは該回路板の外側に結合し、しかも該後カバー上には複数個の連接挿入孔及び切換えスイッチを設置し、該複数個の連接挿入孔と該切換えスイッチは該回路板と電気的に連接し、
該各ディスクは該ケースの該各設置空間内に対応し可動設置し、該各ディスクの一端は該連接台の該各連接器と対応し電気的に連接し、該各ディスクの反対端にはハンドルを設置し、
これにより携帯とディスクの抜き取りに便利で、散熱と製造が快速で、コストを引き下げることができ、マウスパッドとして使用でき、及び切換え使用が便利などの効果を備え、全体の実用性と利便性を向上させることができる。
【課題を解決するための手段】
【０００８】
請求項１の考案は、ケース、連接台、少なくとも２個のディスクを含み、
該ケース内に少なくとも２個の横に排列する設置空間を形成し、
該連接台は該ケースと相互に結合し、該連接台は回路板、少なくとも２個の連接器、後カバーを設置し、該各連接器は該回路板の内側に電気的に連接し、該後カバーは該回路板の外側に結合し、しかも該後カバー上には複数個の連接挿入孔及び切換えスイッチを設置し、該複数個の連接挿入孔と該切換えスイッチは該回路板と電気的に連接し、
該各ディスクは該ケースの該各設置空間内に対応し可動設置し、該各ディスクの一端は該連接台の該各連接器と対応し電気的に連接し、該各ディスクの反対端にはハンドルを設置し、抜き取りにおける利便性を提供することを特徴とするRAID構造としている。
請求項２の考案は、請求項１記載のRAID構造において、前記連接台の後カバー両側にはネジ孔を設置し、二個のネジにより該連接台の後カバーと該ケースを螺合、固定することを特徴とするRAID構造としている。
請求項３の考案は、請求項１記載のRAID構造において、前記ケースはアルミ材料であるため散熱に有利であることを特徴とするRAID構造としている。
請求項４の考案は、請求項１記載のRAID構造において、前記ケース前端にはさらに前カバーを結合し、該各ディスクを該ケース内に設置し封鎖することを特徴とするRAID構造としている。
請求項５の考案は、請求項４記載のRAID構造において、前記前カバー両側にはネジ孔を設置し、二個のネジにより該前カバーと該ケースを螺合、固定することを特徴とするRAID構造としている。
請求項６の考案は、請求項１或いは請求項２或いは請求項３或いは請求項４或いは請求項５記載のRAID構造において、前記ケースはアルミプレスにより製造することを特徴とするRAID構造としている。
【考案の効果】
【０００９】
本考案は携帯とディスクの抜き取りに便利で、散熱と製造が快速で、コストを引き下げることができ、マウスパッドとして使用でき、及び切換え使用が便利などの効果を備え、全体的な実用性と利便性を向上させることができる。
【考案を実施するための最良の形態】
【００１０】
本考案の前記の及び他の目的と長所について、以下に図を用い、最適実施例について詳細に説明する。
本考案はある部品において、或いは部品の並び方において差異があるが、選択した実施例は本説明書中において、詳細に説明し、図を付してその構造を展示する。
図１〜４に示すように、本考案RAID構造はケース１０、連接台２０、少なくとも２個のディスク３０を含む。
該ケース１０内には少なくとも２個の横に排列する設置空間１０１を形成する。該ケース１０はアルミ材料であるため、散熱に有利で、該ケース１０はアルミプレスにより製造する。
該連接台２０は該ケース１０と相互に結合し、該連接台２０は回路板２１、少なくとも２個の連接器２２、後カバー２３を設置する。該各連接器２２は該回路板２１の内側に電気的に連接し、該後カバー２３は該回路板２１の外側に結合する。しかも該後カバー２３上には複数の連接挿入孔２３１(該連接挿入孔２３１はUSB挿入孔、電源挿入孔などである)及び切換えスイッチ２３２を設置する。該複数の連接挿入孔２３１及び該切換えスイッチ２３２は該回路板２１と電気的に連接する。内、該連接台２０の後カバー２３両側にはネジ孔２３３を設置し、二個のネジ２３４は該連接台２０の後カバー２３と該ケース１０を螺合、固定する。
該少なくとも２個のディスク３０は該ケース１０の各設置空間１０１内に対応し可動設置し、該各ディスク３０の一端は該連接台２０の各連接器２２と対応し電気的に連接し、該各ディスク３０の反対端にはハンドル３１を設置し、抜き取りの利便性を提供する。
該ケース１０前端にはさらに前カバー４０を結合し、該各ディスク３０を該ケース１０内に設置する。該前カバー４０両側にはネジ孔４０１を設置し、２個のネジ４０２により該前カバー４０と該ケース１０を螺合、固定する。
【００１１】
図１〜４に示すように、上記構造により構成する本考案RAID構造の特徴について以下に記載する。
本考案RAID構造は該ケース１０、該連接台２０、及び該少なくとも２枚のディスク３０による組合せ設計で、該ケース１０は薄型平面設計を採用し、該ケース１０内には少なくとも２個の横に排列する設置空間１０１を形成する。これにより該少なくとも２個のディスク３０は該ケース１０内の少なくとも２個の横に排列する設置空間１０１を通して、該ケース１０反対端に結合する連接台２０前端の連接器２２と相互に挿入接続する。しかも該各ディスク３０の反対端にはハンドル３１を設置し、該ディスク３０の抜き取りの便を図り、携帯とディスクの抜き取りの利便性を向上させる。
該ケース１０はアルミ材質であるため、散熱が迅速である。
また該ケース１０はアルミプレスにより製造するため、迅速、便利に製造することができ、ひいてはコストを低下させることができる。
該ケース１０は薄型平面設計を採用し、該ケース１０表面はマウスパッドとしても使用可能である。
該後カバー２３上に設置する切換えスイッチ２３２により、RAIDとしての使用或いは２個のディスク３０としての使用に切換えることができ、該後カバー２３上に設置する複数個の連接挿入孔２３１にはUSBプラグ、電源プラグなどを挿入することができ、便利に使用可能である。
こうして本考案は携帯とディスクの抜き取りに便利で、散熱と製造が快速で、コストを引き下げることができ、マウスパッドとして使用でき、及び切換え使用が便利などの効果を備え、全体的な実用性と利便性を向上させることができる。
【図面の簡単な説明】
【００１２】
【図１】本考案実施例の立体外観図である。
【図２】本考案実施例の立体部品分解図である。
【図３】本考案実施例の別の視角からの立体外観図である。
【図４】本考案実施例のディスク抜き取りの概略図である。
【符号の説明】
【００１３】
１０  ケース
１０１  設置空間
２０  連接台
２１  回路板
２２  連接器
２３  後カバー
２３１  連接挿入孔
２３２  切換えスイッチ
２３３  ネジ孔
２３４  ネジ
３０  ディスク
３１  ハンドル
４０  前カバー
４０１  ネジ孔
４０２  ネジ
【図１】
0003139123.tif 000003
【図２】
0003139123.tif 000004
【図３】
0003139123.tif 000005
【図４】
0003139123.tif 000006